(57)【特許請求の範囲】
【請求項１】
玄関のドアに設けられ、電子鍵の操作に基づいて該ドアの施錠及び解錠をする電気錠と、
建物の少なくとも玄関と居室に設けられ、音声を再生する複数の再生端末と、
前記電気錠が登録ユーザの電子鍵によって解錠され、該登録ユーザが前記玄関の屋内側に入った場合に、登録されたメッセージを前記玄関に設けられた再生端末に再生させると共に、該メッセージの再生開始から規定時間経過前に前記電気錠が再施錠された場合には、前記建物内の居室の消費電力量の変化から帰宅者の居場所を推定し、該推定した居場所に設けられた再生端末に前記メッセージを再生させる制御部と、
を備えるメッセージ再生システム。
【請求項２】
前記電気錠は、前記電子鍵から送信された信号を受信すると共に、前記ドアの開閉状態を検知し、
前記制御部は、前記電気錠が前記電子鍵から受信した信号から識別情報及び前記電気錠の施錠又は解錠を示す操作情報を抽出し、前記識別情報が登録ユーザの識別情報と一致する場合に、前記操作情報に従って前記電気錠を施錠又は解錠する制御を行うと共に、前記識別情報の登録ユーザ向けのメッセージが登録されている場合には、前記電気錠が解錠され前記ドアが開閉された際に前記識別情報の登録ユーザが前記玄関の屋内側に入ったと判定し、該メッセージを前記玄関に設けられた再生端末に再生させる請求項１記載のメッセージ再生システム。
【請求項３】
前記制御部は、前記建物の分電盤から前記建物内の各所に電力を供給する電力線の電流の変化から前記建物内の各所の消費電力量を検知し、前記メッセージの再生開始から規定時間経過前に前記電気錠が再施錠された後、消費電力量が所定値以上になった場所を前記登録ユーザの居場所と推定する請求項１又は請求項２記載のメッセージ再生システム。
【請求項４】
前記メッセージは、ネットワークに接続された記憶装置に宛先である登録ユーザの識別情報と対応付けて登録され、
前記制御部は、該記憶装置から前記電気錠を解錠した登録ユーザの識別情報に対応付けられた前記メッセージを取得する請求項１〜３のいずれか１項記載のメッセージ再生システム。
【請求項５】
前記制御部は、前記玄関に設けられた再生端末での前記メッセージの再生開始から規定時間経過後に前記電気錠が再施錠された場合、又は前記推定した居場所の消費電力量が前記所定値以上になった状態が規定時間以上継続した場合に、前記登録ユーザが前記メッセージを確認したと判定して判定結果をネットワークに接続された記憶装置に送信し、
前記記憶装置は、前記メッセージを登録したユーザの携帯情報端末に前記判定結果を送信する請求項３記載のメッセージ再生システム。
【発明の詳細な説明】
【技術分野】
【０００１】
本発明は、帰宅者に対してメッセージの再生を行うメッセージ再生システムに関する。
【背景技術】
【０００２】
システムに含まれるインターホンに、他の居住者に対するメッセージを登録させておき、帰宅した他の居住者が、登録されたメッセージを再生して用件を伝達できる電気錠システムがある。特許文献１には、帰宅した居住者の識別情報に基づき、居住者毎に異なるメッセージを再生できる電気錠システムが開示されている。
【先行技術文献】
【特許文献】
【０００３】
【特許文献１】特許４９４５３５６号公報
【発明の概要】
【発明が解決しようとする課題】
【０００４】
しかしながら、特許文献１に記載の電気錠システムは、玄関先のインターホンで帰宅した居住者にメッセージを再生するが、帰宅者がメッセージを聞かずに玄関から建物の奥へ行ってしまうと、帰宅者にメッセージを確実に伝えることができないおそれがあった。
【０００５】
本発明は、上記事実を考慮して成されたもので、帰宅者に確実にメッセージを伝達できるメッセージ再生システムを提供することを目的とする。
【課題を解決するための手段】
【０００６】
上記課題を解決するための第１の態様は、玄関のドアに設けられ、電子鍵の操作に基づいて該ドアの施錠及び解錠をする電気錠と、建物の少なくとも玄関と居室に設けられ、音声を再生する複数の再生端末と、前記電気錠が登録ユーザの電子鍵によって解錠され、該登録ユーザが前記玄関の屋内側に入った場合に、登録されたメッセージを前記玄関に設けられた再生端末に再生させると共に、該メッセージの再生開始から規定時間経過前に前記電気錠が再施錠された場合には、前記建物内の居室の消費電力量の変化から帰宅者の居場所を推定し、該推定した居場所に設けられた再生端末に前記メッセージを再生させる制御部と、を備える。
【０００７】
第１の態様によれば、帰宅者である登録ユーザが玄関の電気錠を解錠して建物内に入った際に、帰宅者向けのメッセージを玄関の再生端末で再生する。玄関でのメッセージの再生が完了する以前のタイミングで電気錠が再施錠された場合には、帰宅者の居場所を建物内の消費電力量の変化から推定し、推定した場所でメッセージの再生を行う。
【０００８】
第２の態様は、前記電気錠は、前記電子鍵から送信された信号を受信すると共に、前記ドアの開閉状態を検知し、前記制御部は、前記電気錠が前記電子鍵から受信した信号から識別情報及び前記電気錠の施錠又は解錠を示す操作情報を抽出し、前記識別情報が登録ユーザの識別情報と一致する場合に、前記操作情報に従って前記電気錠を施錠又は解錠する制御を行うと共に、前記識別情報の登録ユーザ向けのメッセージが登録されている場合には、前記電気錠が解錠され前記ドアが開閉された際に前記識別情報の登録ユーザが前記玄関の屋内側に入ったと判定し、該メッセージを前記玄関に設けられた再生端末に再生させる。
【０００９】
第２の態様によれば、登録ユーザの識別情報に基づいて電気錠の施錠又は解錠の可否を判定し、当該識別情報に対応したメッセージを再生端末で再生することができる。
【００１０】
第３の態様は、前記制御部は、前記建物の分電盤から前記建物内の各所に電力を供給する電力線の電流の変化から前記建物内の各所の消費電力量を検知し、前記メッセージの再生開始から規定時間経過前に前記電気錠が再施錠された後、消費電力量が所定値以上になった場所を前記登録ユーザの居場所と推定する。
【００１１】
第３の態様によれば、消費電力量が所定値以上になった場所を帰宅者の居場所と推定することができる。
【００１２】
第４の態様は、前記メッセージは、ネットワークに接続された記憶装置に宛先である登録ユーザの識別情報と対応付けて登録され、前記制御部は、該記憶装置から前記電気錠を解錠した登録ユーザの識別情報に対応付けられた前記メッセージを取得する。
【００１３】
第４の態様によれば、建物の外部から帰宅者に対するメッセージを登録することができる。
【００１４】
第５の態様は、前記制御部は、前記玄関に設けられた再生端末での前記メッセージの再生開始から規定時間経過後に前記電気錠が再施錠された場合、又は前記推定した居場所の消費電力量が前記所定値以上になった状態が規定時間以上継続した場合に、前記登録ユーザが前記メッセージを確認したと判定して判定結果をネットワークに接続された記憶装置に送信し、前記記憶装置は、前記メッセージを登録したユーザの携帯情報端末に前記判定結果を送信する。
【００１５】
第５の態様によれば、帰宅者による電気錠の再施錠のタイミング、又は帰宅者の居場所での消費電力量が所定値以上になった状態が規定時間以上継続したことで、帰宅者がメッセージを確認したと推定することができる。
【発明の効果】
【００１６】
以上説明したように、本発明に係るメッセージ再生システムは、帰宅者が玄関でメッセージを確認していないと思われる場合には、消費電力量の変化から推定した帰宅者の居場所でメッセージを再生するので、帰宅者に確実にメッセージを伝達できる。
【図面の簡単な説明】
【００１７】
【図１】本発明の実施の形態に係るメッセージ再生システムを備えた建物の一例を示す概略図である。
【図２】本発明の実施の形態に係るメッセージ再生システムにおける建物内の１つの場所の消費電力量の変化の一態様を示した概略図である。
【図３】本発明の実施の形態に係るメッセージ再生システムにおけるＨＥＭＳの概略構成を示すブロック図である。
【図４】本発明の実施の形態に係るメッセージ再生システムの処理の一例を示したフローチャートである。
【発明を実施するための形態】
【００１８】
以下、図面を参照して本発明の実施の形態の一例を詳細に説明する。図１は、本発明の実施の形態に係るメッセージ再生システム１０を備えた建物１００の一例を示す概略図である。図１に示したように、メッセージ再生システム１０は、玄関３０、リビング３４、子供部屋３６及び寝室３８の各々にメッセージを再生するためのスピーカを有する再生端末４０Ａ，４０Ｂ，４０Ｃ，４０Ｄを各々備えている。
【００１９】
再生端末４０Ａ，４０Ｂ，４０Ｃ，４０Ｄは、建物１００へ消費電力量を分電盤５２からモニターすると共に、建物１００内の機器の制御が可能なＨＥＭＳ（Home Energy Management System）５０に各々接続されている。再生端末４０Ａ，４０Ｂ，４０Ｃ，４０ＤとＨＥＭＳ５０との接続は、ＬＡＮケーブル等による有線接続でもよいが、Bluetooth（登録商標）、Wi-Fi（登録商標）のような無線通信による接続でもよい。
【００２０】
ＨＥＭＳ５０は、玄関３０のドア３２に設けられた電気錠３２Ａを制御する。電気錠３２Ａは、電動のアクチュエータ（図示せず）の動力により施錠及び解錠が可能な錠前であり、施錠及び解錠の操作は、ユーザである居住者等の識別情報であるＩＤ情報を記憶し、当該ＩＤ情報を玄関ドア３２に設けられた電気錠３２Ａの通信部からの通信を契機に無線通信により電気錠に送信する電子鍵４２を用いて行われる。また、電気錠３２Ａは、ドア３２が開閉されたことを検知するセンサ（図示せず）が設けられている。
【００２１】
ＨＥＭＳ５０は、電気錠３２Ａが電子鍵４２から受信したＩＤ情報が、登録されている居住者等のユーザに該当する場合に、電気錠３２Ａの施錠及び解錠を行う。
【００２２】
また、ＨＥＭＳ５０は外部から商用電力である系統電力が供給される分電盤５２に接続されている。ＨＥＭＳ５０は、分電盤５２からリビング３４、子供部屋３６及び寝室３８の各々に供給される電力量を検知する。電力量は、例えば、分電盤５２からリビング３４、子供部屋３６及び寝室３８の各々への電力線に生じる誘導電流を検知し、検知した誘導電流に基づいて各電力線の電流を検知する電流センサ（図示せず）を用いる。当該電流センサが検知した電流値に、建物１００内の電力線での電圧値（例えばＡＣ１００Ｖ）を乗算することにより、分電盤５２からリビング３４、子供部屋３６及び寝室３８の各々に供給される電力量を算出する。また、ＨＥＭＳ５０は、ネットワーク７０を介してクラウドサーバ８０に接続されている。
【００２３】
クラウドサーバ８０は、ユーザである居住者等が携帯情報端末６０を用いて送信してきたメッセージを、ネットワーク７０を介して受信し、登録する。クラウドサーバ８０に送信するメッセージは、メッセージである音声データに加えて、送信者であるユーザのＩＤ情報及びメッセージの受信者であるユーザのＩＤ情報を含む。送信者及び受信者の各々のＩＤ情報は、携帯情報端末６０から直接タイプしてもよいが、メッセージ送信用の専用アプリ等を用いることにより、メッセージの送信作業を簡略化することが望ましい。
【００２４】
例えば、携帯情報端末６０に、建物１００の居住者等のユーザの氏名及びＩＤ情報等を予め記憶しておき、上述の専用アプリを起動すると、記憶しているユーザのリストが携帯情報端末６０の画面に表示され、表示されたリストから選択したユーザ（複数同時選択可）に対するメッセージをクラウドサーバ８０に登録できるようにしてもよい。
【００２５】
クラウドサーバでは、専用アプリを用いて送信されてきたメッセージから送信者のＩＤ情報及び受信者のＩＤ情報を抽出して、メッセージの音声データと対応付けて登録する。なお、メッセージは、ＨＥＭＳ５０の入力部からＨＥＭＳ５０の記憶装置に記憶してもよいし、ＨＥＭＳ５０からネットワーク７０を介してクラウドサーバ８０に登録してもよい。
【００２６】
ＨＥＭＳ５０は、メッセージを受け取るユーザである帰宅者が電気錠３２Ａを解錠し、ドア３２を開閉した際に、クラウドサーバ８０に登録されているメッセージをネットワーク７０を介して取得し、玄関３０の再生端末４０Ａで１回再生する。
【００２７】
また、ＨＥＭＳ５０は、電子鍵４２による電気錠３２Ａの解錠から施錠までの時間に基づいて、玄関３０の再生端末４０Ａで再生したメッセージを帰宅者が聞いたか否かを判定する。例えば、電子鍵４２による電気錠３２Ａの解錠後、メッセージの再生時間に一定時間を加算した規定時間が経過した後に屋内側から電気錠３２Ａが施錠された場合には、玄関３０の再生端末４０Ａで再生したメッセージを帰宅者が聞いたと判定する応答確認を行う。かかる場合での一定時間は、一例として３０〜６０秒である。
【００２８】
ＨＥＭＳ５０は、電子鍵４２による電気錠３２Ａの解錠後、規定時間が経過する前に屋内側から電気錠３２Ａが施錠された場合には、玄関３０の再生端末４０Ａで再生したメッセージを帰宅者が聞いていないと判定する。
【００２９】
ＨＥＭＳ５０は、帰宅者が玄関３０の再生端末４０Ａで再生されたメッセージを聞いていないと判定した場合には、リビング３４、子供部屋３６及び寝室３８の各々の消費電力量の変化から帰宅者の居場所を推定し、推定した居場所に存在する再生端末でメッセージの再生を開始する。
【００３０】
図２は、本実施の形態に係るメッセージ再生システム１０における建物１００内の１つの場所の消費電力量の変化の一態様を示した概略図である。１つの場所とは、図１でのリビング３４、子供部屋３６及び寝室３８のいずれかである。
【００３１】
図２に示したように、帰宅者が帰宅して、リビング３４、子供部屋３６及び寝室３８のいずれかの場所で照明をオンにすると、その場所での消費電力量が増加する。
【００３２】
ＨＥＭＳ５０は、リビング３４、子供部屋３６及び寝室３８のうち、消費電力量が増加し、かつ増加した消費電力量が所定電力量Ｗを超えた状態が所定時間△ｔ継続した場所を帰宅者の居場所と推定する。所定電力量Ｗは、例えば、各場所の主な照明の消費電力量又は各場所の照明を含めた総消費電力量である。また、所定時間△ｔは、５〜１０秒程度である。
【００３３】
推定した居場所に存在する再生端末でのメッセージの再生は、規定回数、例えば、３回繰り返した後に終了する。又は、帰宅者がメッセージを聞いたことを示す応答確認がなされた場合は、メッセージの再生は、規定回数の再生前に中止される。
【００３４】
応答確認は、推定した帰宅者の居場所での消費電力量から判定する。例えば、消費電力量が増加して所定電力量Ｗ以上になった後、規定時間△Ｔ経過後に所定電力量Ｗ以下へ低下した場合、帰宅者がメッセージを確認した後に消灯して退出したとして不在判定をする。規定時間△Ｔはメッセージの再生時間よりも長い時間であり、一例として３〜５分である。または、玄関３０でのメッセージの応答確認に要する時間と同様にメッセージの再生時間に一定の時間を加算した時間を規定時間△Ｔとしてもよい。かかる場合での一定時間は、一例として３０〜６０秒である。
【００３５】
または、消費電力量が増加して所定電力量Ｗ以上になった後、消費電力量が所定電力量Ｗ以上の状態が規定時間△Ｔ継続した場合であれば、その後、消費電力量が所定電力量Ｗ以下に低下しなくても、帰宅者がメッセージを確認したと判定してもよい。
【００３６】
玄関３０での施錠のタイミングに基づく応答確認、又は推定された帰宅者の居場所での消費電力量の変化に基づく応答確認は、ＨＥＭＳ５０からネットワーク７０を介してクラウドサーバ８０に送信され、クラウドサーバ８０に登録される。クラウドサーバ８０に登録された応答確認は、電子メール等を用いてメッセージをクラウドサーバ８０に登録したユーザの携帯情報端末６０に送信される。
【００３７】
図３は、本実施の形態に係るメッセージ再生システム１０におけるＨＥＭＳ５０の概略構成を示すブロック図である。ＨＥＭＳ５０は、ＣＰＵ（Central Processing Unit）１２と、ＨＤＤ（Hard Disk Drive）１４と、ＲＡＭ（Random Access Memory）１６と、ネットワークＩ／Ｆ部１８と、ＲＯＭ（Read Only Memory）２０とを含む。また、ＨＥＭＳ５０は表示部２２と、操作入力部２４と、バス２６とを含んでおり、情報を入力する端末と情報を表示する端末との機能を有している。
【００３８】
ＣＰＵ１２は、ＨＥＭＳ５０の全体の動作を司るものである。ＨＤＤ１４は再生端末４０Ａ〜４０Ｄの制御のプログラム、消費電力量算出のプログラム、消費電力量に基づいて帰宅者の居場所を推定するプログラム、認証のプログラム、電気錠３２Ａの制御のプログラム、クラウドサーバ８０との通信プログラム、ＯＳ（Operating System）及び各プログラムの実行に供するデータ等が記録される不揮発性の記憶装置である。また、ＨＤＤ１４には、登録者である居住者等のユーザの識別情報等も記憶される。ＲＡＭ１６は、ＯＳ、プログラム又はデータが展開される揮発性の記憶装置である。ネットワークＩ／Ｆ部１８は、ネットワーク７０に接続するためのものであり、ＮＩＣ（Network Interface Card）やそのドライバで構成される。ＲＯＭ２０は、ＨＥＭＳ５０の起動時に動作するブートプログラムなどが記憶されている不揮発性の記憶装置である。表示部２２は、メッセージ再生システム１０に関する情報をユーザに表示するものである。操作入力部２４は、ユーザがメッセージ再生システム１０の操作や情報を入力する際に用いられるものであり、一例としてタッチパネル、キーボード等の入力装置及びトラックボール、ペンタブレット若しくはマウス等のポインティングデバイス、さらには音声入力用のマイクロホンが含まれる。バス２６は、情報のやりとりが行われる際に使用される。
【００３９】
図４は、本実施の形態に係るメッセージ再生システム１０の処理の一例を示したフローチャートである。ステップ３００で帰宅者が玄関３０のドア３２の電気錠３２Ａを電子鍵４２を用いて解錠し、ドア３２が開閉されたことにより、帰宅者が玄関３０の屋内側に入ったことを推定する。
【００４０】
ステップ３０２では、クラウドサーバ８０に問い合わせて、帰宅者にメッセージがあるか否かを判定し、肯定判定の場合には、ステップ３０４で、玄関３０の再生端末４０Ａでメッセージを再生する。なお、ステップ３０２で否定判定の場合には、処理を終了する。
【００４１】
ステップ３０６では、メッセージに帰宅者が応答したか否かを判定する。玄関３０でメッセージを再生した場合は、前述のように、電子鍵４２による電気錠３２Ａの解錠後、メッセージの再生時間に一定の時間を加算した規定時間が経過した後に屋内側から電気錠３２Ａが施錠された場合に、メッセージを帰宅者が聞いたと判定する応答確認を行う。
【００４２】
ステップ３０６で肯定判定の場合には、応答確認を行った結果をＨＥＭＳ５０のＨＤＤ１４に記憶すると共に、当該応答確認の結果をクラウドサーバ８０に送信して処理を終了する。
【００４３】
ステップ３０６で否定判定の場合には、ステップ３１０で、メッセージの再生回数が規定回数以内か否かを判定し、肯定判定の場合には、ステップ３１２で消費電力量が増加した場所を検索する。規定回数は一例として３回である。ステップ３１０で否定判定の場合には、処理を終了する。なお、ステップ３１０では、玄関３０でのメッセージの再生は規定回数に計上しない。
【００４４】
ステップ３１４では、帰宅者の居場所を推定できたか否かを判定し、肯定判定の場合には、ステップ３１６で推定した場所でメッセージを再生する。ステップ３１４で否定判定の場合には、手順をステップ３１２に戻す。
【００４５】
ステップ３１６でメッセージを再生した後は、手順をステップ３０６に戻し、メッセージに帰宅者が応答したか否かを判定する。玄関３０以外でのメッセージの再生における応答確認は、前述のように、推定した帰宅者の居場所の消費電力量か増加して所定電力量Ｗ以上になった後、規定時間△Ｔ経過後に急激に低下した場合等である。
【００４６】
ステップ３０６で肯定判定の場合には、応答確認を行った結果をＨＥＭＳ５０のＨＤＤ１４に記憶すると共に、当該応答確認の結果をクラウドサーバ８０に送信して処理を終了する。
【００４７】
ステップ３０６で否定判定の場合には、手順をステップ３１０に移行させ、玄関３０以外でのメッセージの再生回数が規定回数以内か否かを再度判定し、メッセージの再生回数が規定回数以内の場合には、再度、メッセージを再生する。
【００４８】
以上説明したように、本実施の形態によれば、帰宅者が玄関３０の電気錠３２Ａを解錠した後、玄関３０の再生端末４０Ａで再生されたメッセージを聞いたか否かを、電気錠３２Ａを再施錠するタイミングで判定している。再施錠のタイミングが基準よりも早ければ、帰宅者はメッセージを十分に聞かずに玄関から立ち去ったと判定する。
【００４９】
その後は、建物１００内の消費電力量が増加した場所を帰宅者の居場所と推定し、その場所でメッセージの再生を反復することにより、帰宅者に確実にメッセージを伝達できるメッセージ再生システムを提供することが可能となる。
【００５０】
本実施の形態では、帰宅者の居場所と推定した場所での消費電力量の変化に基づいて、帰宅者がメッセージを聞いたか否かを判定したが、再生端末４０Ａ〜４０Ｄの各々に帰宅者の声を検知するマイクロホンを設けてもよい。また、ＨＥＭＳ５０は音声認識機能を有し、再生端末４０Ａ〜４０Ｄのマイクロホンが検知した帰宅者の「ＯＫ」、「分かった」等の声に基づいて応答確認をするようにしてもよい。
【００５１】
なお、本実施の形態のＨＥＭＳ５０は、特許請求の範囲に記載の制御部に相当する。また、本実施の形態のクラウドサーバ８０は、特許請求の範囲に記載の記憶装置に相当する。
【符号の説明】
【００５２】
１０   メッセージ再生システム
１２   ＣＰＵ
１４   ＨＤＤ
１６   ＲＡＭ
１８   ネットワークＩ／Ｆ部
２０   ＲＯＭ
２２   表示部
２４   操作入力部
２６   バス
３０   玄関
３２   ドア
３２Ａ 電気錠
３４   リビング
３６   子供部屋
３８   寝室
４０Ａ，４０Ｂ，４０Ｃ，４０Ｄ     再生端末
４２   電子鍵
５０   ＨＥＭＳ
５２   分電盤
６０   携帯情報端末
７０   ネットワーク
８０   クラウドサーバ
１００ 建物
Ｗ     所定電力量
【図１】
0006453162.tif 000002
【図２】
0006453162.tif 000003
【図３】
0006453162.tif 000004
【図４】
0006453162.tif 000005